(57)【要約】【課題】就寝者を設定時間に快適に覚醒させることができる照明器具を提供する。【解決手段】天井面１１に取付可能な器具本体２０には、天井面１１に沿って光を照射可能な間接光発光部３０Ａと、天井面１１から離れる方向に光を照射可能な直接光発光部４０とが設けられている。また、器具本体２０には、間接光発光部３０Ａおよび直接光発光部４０を点灯、消灯および調光する制御部２３が設けられている。制御部２３は、あらかじめ設定された起床時刻前の点灯開始時刻に間接光発光部および直接光発光部を高点灯状態よりも光量が少ない低点灯状態で点灯させ、次いで間接光発光部３０Ａおよび直接光発光部４０を増光させる起床モードを有する。そして、制御部２３は、起床モードにおいて、先に間接光発光部３０Ａを低点灯状態で点灯させ、次いで直接光発光部４０を低点灯状態で点灯させる。これにより、就寝者Ｍを徐々に明るさに慣れさせて、起床時刻Ｔ０に快適に覚醒させることができる。【選択図】図５
2014222587.tif 000002
【特許請求の範囲】
【請求項１】
天井面に取付可能な器具本体と、
前記器具本体に支持され、前記天井面に沿って光を照射可能な間接光発光部と、
前記器具本体に支持され、前記天井面から離れる方向に光を照射可能な直接光発光部と、
前記間接光発光部および前記直接光発光部を点灯、消灯および調光する制御部と、を備え、
前記制御部は、あらかじめ設定された起床時刻前の点灯開始時刻に前記間接光発光部および前記直接光発光部を高点灯状態よりも光量が少ない低点灯状態で点灯させ、次いで前記間接光発光部および前記直接光発光部を増光させる起床モードを有し、
前記起床モードにおいて、前記制御部は先に前記間接光発光部を前記低点灯状態で点灯させ、次いで前記直接光発光部を前記低点灯状態で点灯させる照明器具。
【請求項２】
請求項１に記載の照明器具において、
前記直接光発光部は、電球色ＬＥＤおよび白色ＬＥＤを有し、
前記起床モードにおいて、前記制御部は前記直接光発光部として前記電球色ＬＥＤを点灯させる照明器具。
【請求項３】
請求項２に記載の照明器具において、
前記起床モードにおいて、前記制御部は前記直接光発光部として先に前記電球色ＬＥＤを点灯させ、次に前記白色ＬＥＤを点灯させる照明器具。
【請求項４】
請求項１〜請求項３のうちのいずれか１項に記載の照明器具において、
前記間接光発光部は、前記天井面に沿って互いに離れる方向に間接光を光照射可能な第１間接光発光部および第２間接光発光部を有し、
前記起床モードにおいて、前記制御部は前記間接光発光部として前記第１間接光発光部を点灯させる照明器具。
【請求項５】
請求項４に記載の照明器具において、
前記間接光発光部は、前記第１間接光発光部および前記第２間接光発光部をそれぞれ複数有する照明器具。
【請求項６】
請求項１〜請求項５のうちのいずれか１項に記載の照明器具において、
寝室に用いられる照明器具。
【発明の詳細な説明】
【技術分野】
【０００１】
本発明は、所定の時間に点灯させて就寝者を覚醒させることができる照明器具に関するものである。
【背景技術】
【０００２】
従来、寝室等の天井面に取り付けて、所定の時間に点灯させることにより、就寝者を目覚めさせることができる照明器具が知られている（例えば、非特許文献１参照）。
図１１に示すように、非特許文献１に記載の照明器具においては、就寝時には、おやすみ設定時間から徐々に暗くなり、消灯する。
また、起床時には、起床時間の所定時間（例えば３０分）前にスイッチがオンとなり、所定時間をかけて徐々に明るくなって、起床時刻には全灯する。これにより、体をゆっくり覚醒状態へ移行させる。
【先行技術文献】
【非特許文献】
【０００３】
【非特許文献１】“住宅照明｜LEDシーリング｜コイズミ照明株式会社”、［ｏｎｌｉｎｅ］、コイズミ照明株式会社、「平成２５年５月１３日検索」、インターネット（http://www.koizumi-lt.co.jp/product/jyutaku/ledceiling/）
【発明の概要】
【発明が解決しようとする課題】
【０００４】
しかしながら、前述した非特許文献１に記載の従来の照明器具においては、直接光を調整しながら就寝者に照射するため、設定時刻前に就寝者が急激に覚醒して起床し、起床した就寝者に不快感を感じさせる可能性があるという問題があった。
【０００５】
本発明は、従来の問題を解決するためになされたもので、就寝者を設定時間に快適に覚醒させることができる照明器具を提供することを目的とする。
【課題を解決するための手段】
【０００６】
本発明の照明器具は、天井面に取付可能な器具本体と、前記器具本体に支持され、前記天井面に沿って光を照射可能な間接光発光部と、前記器具本体に支持され、前記天井面から離れる方向に光を照射可能な直接光発光部と、前記間接光発光部および前記直接光発光部を点灯、消灯および調光する制御部と、を備え、前記制御部は、あらかじめ設定された起床時刻前の点灯開始時刻に前記間接光発光部および前記直接光発光部を高点灯状態よりも光量が少ない低点灯状態で点灯させ、次いで前記間接光発光部および前記直接光発光部を増光させる起床モードを有し、前記起床モードにおいて、前記制御部は先に前記間接光発光部を前記低点灯状態で点灯させ、次いで前記直接光発光部を前記低点灯状態で点灯させるものである。
【０００７】
また、本発明の照明器具では、前記直接光発光部は、電球色ＬＥＤおよび白色ＬＥＤを有し、前記起床モードにおいて、前記制御部は前記直接光発光部として前記電球色ＬＥＤを点灯させるものである。
【０００８】
また、本発明の照明器具では、前記起床モードにおいて、前記制御部は前記直接光発光部として先に前記電球色ＬＥＤを点灯させ、次に前記白色ＬＥＤを点灯させるものである。
【０００９】
また、本発明の照明器具では、前記間接光発光部は、前記天井面に沿って互いに離れる方向に間接光を光照射可能な第１間接光発光部および第２間接光発光部を有し、前記起床モードにおいて、前記制御部は前記間接光発光部として前記第１間接光発光部を点灯させるものである。
【００１０】
また、本発明の照明器具では、前記間接光発光部は、前記第１間接光発光部および前記第２間接光発光部をそれぞれ複数有するものである。
【００１１】
さらに、本発明の照明器具は、寝室に用いられるものである。
【発明の効果】
【００１２】
本発明では、制御部は、起床モードにおいて、先に間接光発光部を低点灯状態で点灯させ、次いで直接光発光部を低点灯状態で点灯させる。これにより、就寝者を徐々に明るさに慣れさせて、設定時間に快適に覚醒させることができるという効果を有する照明器具を提供できる。
【図面の簡単な説明】
【００１３】
【図１】（Ａ）は本発明に係る第１実施形態の照明器具の断面図であり、（Ｂ）は下方から見た平面図
【図２】本発明に係る第１実施形態の照明器具の分解斜視図
【図３】本発明に係る第１実施形態の照明器具を上方から見た平面図
【図４】図２中ＩＶ部分の分解斜視図
【図５】本発明に係る第１実施形態の照明器具における制御部の制御内容を示すタイムチャート
【図６】起床モードにおいて第１間接光発光部を点灯させた寝室の状態を示す説明図
【図７】起床モードにおいて直接光発光部の電球色ＬＥＤを点灯させた寝室の状態を示す説明図
【図８】起床モードにおいて直接光発光部の白色ＬＥＤを点灯させた寝室の状態を示す説明図
【図９】本発明に係る第２実施形態の照明器具における制御部の制御内容を示すタイムチャート
【図１０】（Ａ）ないし（Ｃ）は間接光発光部の配置の変形例を示す説明図
【図１１】従来の照明器具における起床モード等における光量の変化を示すグラフ
【発明を実施するための形態】
【００１４】
（第１実施形態）
以下、第１実施形態の照明器具について、図面を用いて説明する。
図１（Ａ）および図１（Ｂ）に示すように、第１実施形態の照明器具１０は、被取付部である天井面１１等に取り付けられて主に下方を照明するのに適する。
図２にも示すように、照明器具１０は、天井面１１に取り付けられている引っ掛けシーリング１２に取り付けるための取付金具２１を中央に有する例えば円板状の器具本体２０を有する。また、器具本体２０の中央部における取付金具２１の近傍には、取付金具２１から電力の供給を受けて、後述する複数の光源を個別に制御する制御部２３が設けられている。
【００１５】
制御部２３の操作は、リモコン（図示省略）や、壁に取り付けた操作盤（図示省略）等によって行うことができる。
なお、器具本体２０の外周には、円環状の枠部２２が設けられており、所定間隔（ここでは、中心角１２０度）で、開口部２２１が設けられている。開口部２２１には、補助光源７０が取り付けられる。
【００１６】
器具本体２０の上側（すなわち、天井面１１側）には、間接光発光部３０Ａ、上枠３２および上カバー３１が設けられている。また、器具本体２０の下側（すなわち、照明方向側）には、直接光発光部４０、直接光発光部４０用の光学部材であるレンズ６０が設けられている。
【００１７】
直接光発光部４０は、天井面１１から離れる方向（すなわち、下方）に光を照射可能である。直接光発光部４０は、器具本体２０の円形を複数個に分割した部分円弧状の基板４１を有しており、各基板４１には、複数のＬＥＤ４２が実装されている。
直接光発光部４０は、電球色ＬＥＤおよび白色ＬＥＤを有する。直接光発光部４０における電球色ＬＥＤおよび白色ＬＥＤの配置は任意である。例えば基板４１上の２列配置されている場合に、内側の列を電球色ＬＥＤとし、外側の列を白色ＬＥＤとすることができる。あるいは、各列において、電球色ＬＥＤと白色ＬＥＤを交互に配置することも可能である。
【００１８】
各基板４１は制御部２３に接続されており、各直接光発光部４０における電球色ＬＥＤおよび白色ＬＥＤは、制御部２３の制御により点灯、消灯および調光される。
直接光発光部４０の前方には、直接光発光部４０が発した光を受けて光を拡散する透光性のパネル５０が設けられている。
【００１９】
図３に示すように、器具本体２０の上側には、間接光発光部３０Ａが設けられている。間接光発光部３０Ａは、天井面１１に沿って水平方向に光を照射可能である。
間接光発光部３０Ａは、寝室１３において就寝者Ｍ（図６参照）の頭側の壁１４に対向する第１間接光発光部３０１と、第１間接光発光部３０１とは反対側に設けられている第２間接光発光部３０２とを有する。第１間接光発光部３０１および第２間接光発光部３０２は、各々複数個（ここでは、各々２個）設けられている。
なお、図３においては、第１間接光発光部３０１と第２間接光発光部３０２とが、分離して配置されている。
【００２０】
図４に示すように、間接光発光部３０Ａは、ＬＥＤ３３を実装する基板３４と、基板３４を器具本体２０の上面に取り付けるための取付具３５と、ＬＥＤ３３の前面を覆うレンズ３６を有する。基板３４は制御部２３に接続されており、ＬＥＤ３３は制御部２３の制御により点灯、消灯および調光される。
取付具３５は全体Ｌ字形状をしており、基板３４およびレンズ３６を、器具本体２０の上面に直交するように取り付ける。従ってＬＥＤ３３からの光は、器具本体２０の上面と平行に外側へ向けて出射される。
【００２１】
次に、起床時刻Ｔ０に就寝者を目覚めさせる起床モードにおける、制御部２３による間接光発光部３０Ａおよび直接光発光部４０の制御について説明する。
図５に示すように、まず、間接光点灯開始時刻Ｔ１になると、制御部２３は間接光発光部３０Ａの第１間接光発光部３０１（または、第１間接光発光部３０１および第２間接光発光部３０２）を点灯させる。このとき、光量が少ない低点灯状態で点灯させ、次第に間接光発光部３０Ａの光量を増加させる。光量の増加は、図５に示すように、段階的に行うことができるが、連続的に増加することもできる。
これにより、図６に示すように、第１間接光発光部３０１が低点灯状態で寝室１３の頭側の壁１４を照らす。また、第１間接光発光部３０１および第２間接光発光部３０２を点灯させた場合には、足下側も照らす（図６中点線で表示）。いずれの場合も、就寝者の頭には光が照射されない。
【００２２】
図５に示すように、第１間接光発光部３０１の光量が全灯状態（１００％）に達したら、制御部２３は、直接光発光部４０を点灯させる（電球色直接光点灯開始時刻Ｔ２）。
このとき、制御部２３は、直接光発光部４０として、電球色ＬＥＤを光量が少ない低点灯状態で点灯させ、次第の光量を増加させる。光量の増加は、段階的または連続的でも可能である。
また、第１間接光発光部３０１は、全灯状態を保持する。
これにより、図７に示すように、直接光発光部４０の電球色ＬＥＤが低点灯状態で寝室１３を照らし初め、次第に光量を増す。
【００２３】
そして、図５に示すように、直接光発光部４０の電球色ＬＥＤの光量が全灯状態に達したら、制御部２３は、直接光発光部４０の白色ＬＥＤを光量が少ない低点灯状態で点灯させる（白色直接光点灯開始時刻Ｔ３）。そして、直接光発光部４０の白色ＬＥＤの光量を次第に増加して、起床時刻Ｔ０には全灯状態となる。
このとき、制御部２３は、第１間接光発光部３０１および直接光発光部４０の電球色ＬＥＤは、全灯状態を保持する。
これにより、図８に示すように、寝室１３は第１間接光発光部３０１および直接光発光部４０によって明るく照明される。
【００２４】
次に、第１実施形態の照明器具１０の作用効果について説明する。
天井面１１に取付可能な器具本体２０には、天井面１１に沿って光を照射可能な間接光発光部３０Ａと、天井面１１から離れる方向に光を照射可能な直接光発光部４０とが設けられている。また、器具本体２０には、間接光発光部３０Ａおよび直接光発光部４０を点灯、消灯および調光する制御部２３が設けられている。
【００２５】
起床モードにおいて制御部２３は、あらかじめ設定された起床時刻Ｔ０前の点灯開始時刻（Ｔ１、Ｔ２、Ｔ３）に、間接光発光部３０Ａおよび直接光発光部４０を高点灯状態よりも光量が少ない低点灯状態で点灯させる。次いで、間接光発光部３０Ａおよび直接光発光部４０を増光させる。
そして、制御部２３は、起床モードにおいて、先に間接光発光部３０Ａを低点灯状態で点灯させ、次いで直接光発光部４０を低点灯状態で点灯させる。
これにより、就寝者Ｍを徐々に明るさに慣れさせて、起床時刻Ｔ０に快適に覚醒させることができる。
【００２６】
また、照明器具１０では、直接光発光部４０は電球色ＬＥＤおよび白色ＬＥＤを有し、起床モードにおいては、制御部２３は直接光発光部４０として暖かい感じのする電球色ＬＥＤを点灯させる。
これにより、就寝者Ｍが急激に覚醒して、不快感を感じるのを防止することができる。
【００２７】
また、照明器具１０では、起床モードにおいては、制御部２３は直接光発光部４０として、暖かな感じの電球色ＬＥＤを点灯させ、次に白色ＬＥＤを点灯させる。
これにより、就寝者Ｍが急激に覚醒して、不快感を感じるのを防止することができる。
【００２８】
また、照明器具１０では、間接光発光部３０Ａは、天井面１１に沿って互いに離れる方向に間接光を光照射可能な第１間接光発光部３０１および第２間接光発光部３０２を有する。そして、起床モードにおいては、制御部２３は間接光発光部３０Ａとして第１間接光発光部３０１を点灯させる。
このため、就寝者Ｍの頭の側に位置する壁１４に第１間接光発光部３０１を向けておくことにより、頭側の壁１４を第１間接光発光部３０１の軟らかな光を照射するので、快適な目覚めをすることができる。
【００２９】
また、照明器具１０では、間接光発光部３０Ａは、第１間接光発光部３０１および第２間接光発光部３０２をそれぞれ複数有する。
このため、テレビを見たり映画を見たりする場合に好適な間接照明を演出することができる。
【００３０】
さらに、照明器具１０は、寝室１３に用いることにより、就寝者Ｍを、起床時刻Ｔ０に快適に覚醒させることができる。
【００３１】
（第２実施形態）
次に、第２実施形態の照明器具について説明する。
なお、前述した第１実施形態の照明器具１０と共通する部位には同じ符号を付して、重複する説明を省略することとする。
図９に示すように、第２実施形態の照明器具においては、制御部２３は、間接光発光部３０Ａが全灯状態に達して、電球色直接光点灯開始時刻Ｔ２に直接光発光部４０の電球色ＬＥＤの点灯を開始すると、間接光発光部３０Ａの光量を徐々に減少させる。
そして、直接光発光部４０の電球色ＬＥＤが全灯状態に達する頃には、間接光発光部３０Ａを消灯する。
【００３２】
また、制御部２３は、直接光発光部４０の電球色ＬＥＤが全灯状態に達して、白色直接光点灯開始時刻Ｔ３に直接光発光部４０の白色ＬＥＤの点灯を開始すると、電球色ＬＥＤの光量を徐々に減少させる。
そして、直接光発光部４０の白色ＬＥＤが全灯状態に達する起床時刻Ｔ０には、直接光発光部４０の電球色ＬＥＤを消灯する。
【００３３】
以上、説明した第２実施形態の照明器具においても、前述した第１実施形態の照明器具１０と同様の作用・効果を有する。
さらに、第２実施形態の照明器具では、先に点灯した間接光発光部３０Ａおよび直接光発光部４０の電球色ＬＥＤを、順次消灯するので、省エネを図ることができる。
【００３４】
本発明の照明器具は、前述した各実施形態に限定されるものでなく、適宜な変形、改良等が可能である。
例えば、前述した各実施形態においては、間接光発光部３０Ａとして、図３に示すように、第１間接光発光部３０１と、第２間接光発光部３０２とを２個ずつ分離して配置した場合について例示した。
【００３５】
この他、図１０（Ａ）に示すように、間接光発光部３０Ｂとして、１個の第１間接光発光部３０１と、１個の第２間接光発光部３０２とを、中心に対して対称位置に配置することも可能である。
また、図１０（Ｂ）に示すように、間接光発光部３０Ｃとして、２個の第１間接光発光部３０１と、２個の第２間接光発光部３０２とを、等間隔で配置して、１個の第１間接光発光部３０１を壁１４に正対させることも可能である。
さらに、図１０（Ｃ）に示すように、間接光発光部３０Ｄとして、２個の第１間接光発光部３０１と、２個の第２間接光発光部３０２とを、等間隔で配置して、２個の第１間接光発光部３０１の中間を壁１４に正対させることも可能である。
【符号の説明】
【００３６】
１０  照明器具
１１  天井面
１３  寝室
２０  器具本体
２３  制御部
３０Ａ、３０Ｂ、３０Ｃ、３０Ｄ  間接光発光部
３０１  第１間接光発光部
３０２  第２間接光発光部
４０  直接光発光部
Ｔ０  起床時刻
【図１】
2014222587.tif 000003
【図２】
2014222587.tif 000004
【図３】
2014222587.tif 000005
【図４】
2014222587.tif 000006
【図５】
2014222587.tif 000007
【図６】
2014222587.tif 000008
【図７】
2014222587.tif 000009
【図８】
2014222587.tif 000010
【図９】
2014222587.tif 000011
【図１０】
2014222587.tif 000012
【図１１】
2014222587.tif 000013